Podtech/llm-jp-corpus-v4-ja_patent huggingface dataset:
(57)【要約】      （修正有）【課題】固定子、回転子双方を回転させることで磁束を切る密度が倍加され増速装置を使用せずに低速回転エネルギーを有効に活用できる低速回転発電機のダブルアクション構造を提供する。【解決手段】本発電機は、通常固定されている固定子（ステーター）１を回転可能な構造とし、発電機の回転子（ローター）駆動軸と固定子（ステーター）駆動部にギヤ２を取り付け、ローター駆動軸とステーター駆動部をギヤ、チェーン又は、タイミングベルトで連結しローター駆動軸側の正回転出力をステーター駆動部側に逆回転入力として伝達することで、ローターに対しステーター１を逆回転させ磁束を切る密度の効率を増幅させた、磁束切断密度の高効率化および増幅により発電効率を倍増させ、スリップリングによって出力電源を取り出せる構造とする。【選択図】図１
0003147089.tif 000002
【実用新案登録請求の範囲】
【請求項１】
本考案は、低速回転発電機の回転子軸と固定子にギヤ又はプーリーを取り付けチェーン又はタイミングベルトで双方を回転させるダブルアクション構造としたことで磁束を切る密度の効率が倍加された。
【考案の詳細な説明】
【技術分野】
【０００１】  本考案は、風力、水力などを利用対応し低速回転発電機の固定子、回転子双方を回転させる構造とした発電機に関する。
【背景技術】
【０００２】  従来の低速発電機は、効率を高めるため固定子コアの直径を大きく、多極化する必要があった。
【提案の開示】
【０００３】
【提案が解決しようとする課題】
【０００４】  従来の低速発電機は発電効率が悪く、低速回転エネルギーで効率良く発電させるには増速装置を使用した高速発電機が主流となっている。
【０００５】  固定子を、回転子軸に取付けたギヤによりチェーン又はタイミングベルトを用い双方を回転させ、出力をスリップリングにより取り出す。
【考案の効果】
【０００６】  固定子、回転子双方を回転させることで磁束を切る密度が倍加され増速装置を使用せずに低速回転エネルギーを有効に活用できる。
【考案を実施するための最良の形態】
【０００７】  水車式発電、水力発電、風力発電、蓄電池等を利用した非常用発電装置として。
【実施例】
【０００８】
【産業上の利用可能性】
【０００９】  河川法などの規制が有るも、農業用水、小河川を利用した水力発電に。又、蓄電池、インバーター、モーター、コンバーターの組合せにより循環型発電装置とすることで、コンビニ、ファミレス、ファーストフード店等の節電対策用として利用。
【図面の簡単な説明】
【００１０】
【図１】「低速発電機本体全体を示した、平面図である。」
【図２】「外周固定子の駆動方式を示した、平面図である。」
【符号の説明】
【００１１】１
２
３
【図１】
0003147089.tif 000003
【図２】
0003147089.tif 000004
【手続補正書】
【提出日】平成20年7月8日(2008.7.8)
【手続補正１】
【補正対象書類名】実用新案登録請求の範囲
【補正対象項目名】全文
【補正方法】変更
【補正の内容】
【実用新案登録請求の範囲】
【請求項１】
本発電機は、発電機の回転子駆動軸と固定子にギヤを取り付け、固定子を回転子に対し逆回転させスリップリングによって電力を取り出す構造としたことで磁束を切る密度の効率が増幅され発電効率を倍増する事ができた。
【手続補正２】
【補正対象書類名】明細書
【補正対象項目名】全文
【補正方法】変更
【補正の内容】
【考案の詳細な説明】
【技術分野】
【０００１】  本考案は、風力、水力などを利用対応し低速回転発電機の固定子、回転子双方を回転させる構造とした発電機に関する。
（２）
【背景技術】
【０００２】  従来の低速発電機は、効率を高めるため固定子コアの直径を大きく、多極化する必要があった。
（３）
【提案の開示】
【０００３】
【提案が解決しようとする課題】
【０００４】  従来の低速発電機は発電効率が悪く、低速回転エネルギーで効率良く発電させるには増速装置を使用した高速発電機が主流となっている。
【０００５】  固定子を、回転子軸に取付けたギヤによりチェーン又はタイミングベルトを用い双方を回転させ、出力をスリップリングにより取り出す。
【考案の効果】
【０００６】  固定子、回転子双方を回転させることで磁束を切る密度が倍加され増速装置を使用せずに低速回転エネルギーを有効に活用できる。
（４）
【考案を実施するための最良の形態】
【０００７】  水車式発電、水力発電、風力発電、蓄電池等を利用した非常用発電装置として。
【実施例】
【０００８】
【産業上の利用可能性】
【０００９】  河川法などの規制が有るも、農業用水、小河川を利用した水力発電に。又、蓄電池インバーター、モーター、コンバーターの組合せにより循環型発電装置とすることでコンビニ、ファミレス、ファーストフード店等の節電対策用として利用。
【図面の簡単な説明】
【００１０】
【図１】「低速発電機本体全体を示した、平面図である。」
【図２】「外周固定子（外周回転子）の駆動方式を示した、平面図である。」
【図３】「回転子の駆動方式を示した、平面図である。」
【符号の説明】
【００１１】［図１］▲１▼外周回転子
▲２▼外周回転子駆動部
▲３▼インナー回転子駆動部
▲４▼インナー回転子
［図２］▲１▼外周回転子
▲２▼外周回転子入力ギヤ
▲３▼外周回転子駆動ギヤ
【手続補正３】
【補正対象書類名】図面
【補正対象項目名】全図
【補正方法】変更
【補正の内容】
【図１】
0003147089.tif 000005
【図２】
0003147089.tif 000006
【図３】
0003147089.tif 000007
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
本発電機は、通常固定されている固定子（ステーター）を回転可能な構造とし、発電機の回転子（ローター）駆動軸と固定子（ステーター）駆動部にギヤを取り付け、ローター駆動軸とステーター駆動部をギヤ、チェーン又は、タイミングベルトで連結しローター駆動軸側の正回転出力をステーター駆動部側に逆回転入力として伝達することで、ローターに対しステーターを逆回転させ磁束を切る密度の効率を増幅させた、磁束切断密度の高効率化および増幅により発電効率を倍増させ、スリップリングによって出力電源を取り出すことを特徴とした発電機。
(57)【要約】【課題】反射屈折式無眩型光源の提供。【解決手段】本考案の反射屈折式無眩型光源は、屈折体、金属カップ体、金属反射カバー、及び、LEDランプ本体からなり、LEDランプ本体が発する光源は、金属カップ体により反射し、光線が垂直に走向し、光線は更に、屈折体に進入し、光線が屈折する。金属反射カバー内部は、平面、或いは、不規則な散射面、或いは、方形の小平面で構成される弧状面を有し、屈折体は、金属反射カバーの弧状面焦点位置に設置され、光線は弧状面の設計によって、所定目標の光形状を形成し、LED光源が、小面積で生じる高輝度による眩光、目の刺激等の現象を防止する。【選択図】    図２
0003147053.tif 000002
【実用新案登録請求の範囲】
【請求項１】
反射屈折式無眩型光源であって、
螺孔を有し、金属反射カバーの底部に鎖固されるLEDランプ本体と、
上縁が環状凸縁を延伸し、端口が内に向かって錐面を形成し、底端が開口を有して、前記LEDランプ本体の凸部外縁に固設される金属カップ体と、
内部が弧状面を有し、底部は平面で、且つ、螺孔を開設し、中央に孔洞を有する前記金属反射カバーと、
底端が前記金属カップ体の環状凸縁内に嵌合され、内部は円弧と錐面を有する屈折体と、
からなり、
前記LEDランプ本体が発する光源は、前記金属カップ体により反射し、光線が垂直に走向し、光線は更に、前記屈折体に進入し、光線が屈折し、前記屈折体は、前記金属反射カバーの弧状面焦点位置に設置され、光線は弧状面の設計によって、所定目標の光形状を形成し、LED光源が、小面積で生じる高輝度による眩光、目の刺激等の現象を防止することを特徴とする反射屈折式無眩型光源。
【請求項２】
前記金属反射カバー内部は、平面、或いは、不規則な散射面、或いは、方形の小平面で構成される弧状面を有することを特徴とする請求項１に記載の反射屈折式無眩型光源。
【考案の詳細な説明】
【技術分野】
【０００１】
本考案は、反射屈折式無眩光源に関するものであって、特に、反射を運用して光線の前進方向を変更し、屈折体により光線を屈折して、屈折後の光線が弧状設計によって、所定目標の光形状を形成し、小面積が高輝度を生成して生じる眩光、目の刺激等の現象を効果的に防止する反射屈折式無眩光源に関するものである。
【背景技術】
【０００２】
図１で示されるように、公知の石英ランプ構造は、ランプカバー１内に遮光体２を設置し、遮光体２は、遮蔽部３を有して光源上端を遮蔽し、光源の側面光線だけを残し、光線をランプカバー１内面後で屈折させ、光源がランプカバー周縁に分布するものであるが、遮光体２は下降製造が面倒なだけでなく、一部の光源が遮蔽されて、光源の強度が弱まる。
【０００３】
また、公知の照明設備は、側縁の光線を強化した設計があり、例えば、中華民国（台湾）特許公告第M３０６２９９号の「LED環射ランプ構造」では、主に、金属カップ体上方に導光素子を固設し、導光素子上端内縁は弧面を有し、導光素子下端部外周に、斜面を有し、発光ダイオード（LED）光源が生成する光線の散射、屈折を提供し、導光素子内部の斜面と弧状の鏡面曲率により、光線がしきい角全反射現象を形成し、光線が導光素子の外側周囲で散射して、LED環射ランプ構造側縁の光源輝度が高くなる。光線が導光素子の外側で散射するのは遠距離照射を提供することができず、よって、いかにして改善するか、また、小面積で高輝度を生成して生じる眩光、目の刺激等の現象を効果的に防止する反射屈折式無眩型光源を提供し、光源をランプカバー周縁に、効果的に集中させることが必要である。
【考案の開示】
【考案が解決しようとする課題】
【０００４】
本考案の目的は、小面積で高輝度を生成して生じる眩光、目の刺激等の現象を効果的に防止する反射屈折式無眩型光源を提供し、光源をランプカバー周縁に、効果的に集中させることを目的とする。
【課題を解決するための手段】
【０００５】
本考案の反射屈折式無眩型光源は、屈折体、金属カップ体、金属反射カバー、及び、LEDランプ本体からなり、LEDランプ本体が発する光源は、金属カップ体により反射し、光線が垂直に走向し、光線は更に、屈折体に進入し、光線が屈折する。金属反射カバー内部は、平面、或いは、不規則な散射面、或いは、方形の小平面で構成される弧状面を有し、屈折体は、金属反射カバーの弧状面焦点位置に設置され、光線は弧状面の設計によって、所定目標の光形状を形成し、LED光源が、小面積で生じる高輝度による眩光、目の刺激等の現象を防止する。
【考案の効果】
【０００６】
本考案の反射屈折式無眩型光源小面積で高輝度を生成して生じる眩光、目の刺激等の現象を効果的に防止する。
【考案を実施するための最良の形態】
【０００７】
図２、図３、及び、図４は、本考案の反射屈折式無眩型光源を示す図で、屈折体１０、金属カップ体２０、金属反射カバー３０、及び、LEDランプ本体４０からなり、LEDランプ本体４０は、螺孔４１０を設置して、金属反射カバー３０の底部３１に鎖固する。金属カップ体２０上縁は、環状の凸縁２１を延伸し、端口は内に向かって錐面を形成し、底端は開口２１０を設置する。開口２１０は、金属カップ体２０をLEDランプ本体４０の凸部４２外縁に固設する。金属反射カバー３０内部は、弧状面３２を有し、底部３１は、金属カップ体２０の環状凸縁２１内に嵌合し、屈折体１０内部は、円弧１１、及び、錐面１２を有し、LEDランプ本体４０が発する光源が、金属カップ体２０を経て反射し、光線が垂直に走向し、光線は更に、屈折体１０に進入し、光線が屈折する。且つ、屈折体１０は、金属反射カバー３０の弧状面３２の焦点位置に設置され、光線は、弧状面３２の設計によって、所定目標の光形状を形成し、LED光源が、小面積で生じる高輝度による眩光、目の刺激等の現象を防止する。
【図面の簡単な説明】
【０００８】
【図１】公知の光源構造の外観図である。
【図２】本考案の立体分解図である。
【図３】本考案の立体組み合わせ図である。
【図４】本考案の立体断面図である。
【符号の説明】
【０００９】
ランプカバー１
遮光体２
遮蔽部３
屈折体１０
円弧１１
錐面１２
金属カップ体２０
環状の凸縁２１
金属反射カバー３０
LEDランプ本体４０
底部３１
弧状面３２
凸部４２
開口２１０
螺孔４１０
【図１】
0003147053.tif 000003
【図２】
0003147053.tif 000004
【図３】
0003147053.tif 000005
【図４】
0003147053.tif 000006
(57)【要約】      （修正有）【課題】小型軽量で美麗で装飾効果があり、多方面からの外光を強力に反射できる携帯性に優れた多面反射体を提供する。【解決手段】無色又は淡い有色の方形透明プラスチック板の裏面に外周枠６を設けると共に該枠内に三角錐体１０とこれを囲む６個の小三角錐１３が平面状に所定間隔で配設された光散乱面を有する第１半体２と、該第１半体の三角錐体及び小三角錐と対向しないようにそれらの位置を全体的に齟齬させて同様構成とした第２半体３とを、各半体裏面の各錐体面が接触しない程度の間隙ｄを保持して対面させて外周側部を接着又は融着して一体化させる。【選択図】図４
0003147434.tif 000002
【実用新案登録請求の範囲】
【請求項１】
表面に平滑面を有する方形の透明プラスチック板の裏面に外周枠を設けると共に該枠内に三角錐体とこれを囲む６個の小三角錐が平面状に所定間隔で配設された光散乱面を有する第１半体と、該第１半体の三角錐体及び小三角錐がそれぞれ対向しないようにそれらの位置を全体的に齟齬させて同様構成とした第２半体とからなり、各半体裏面の各錐体面が接触しない程度の間隙を保持して対面させて外周側部を接着又は融着して一体化させると共に一辺に紐通し孔付突部を設けてなる携帯用多面反射体。
【請求項２】
各半体の平滑表面の周縁部に斜面を形成してなる請求項１記載の多面反射体。
【請求項３】
第１及び第２半体を異色の透明プラスチック体で構成してなる請求項１又は２記載の多面反射体。
【考案の詳細な説明】
【技術分野】
【０００１】
この考案は、携帯用アクセサリなどに好適な透明なプラスチック製の多面反射体に関する。
【背景技術】
【０００２】
自動車ボディの夜間表示体や携帯品に付属させる装飾体として使用されているプラスチック製反射体は20〜60ｍｍ×60〜100ｍｍ程度の長方形であって携帯に不便であり、携帯に便利なようにこれを小片化しても一方向からの光を反射させるのみで反射表示効果が十分でない欠点がある。
【０００３】
従来のプラスチック反射体は、透明プラスチック板の裏面に多数の三角錐体を突設させると共にそれぞれの三角錐体が６個の小三角錐によって囲まれるように規則的に配設したものであって、このような透明プラスチック反射板自体は特許文献１及び２などに記載されている。
【０００４】
【特許文献１】実開平０５−００６５２３号公報
【特許文献２】意匠登録第６４６７１６号公報
【考案の開示】
【考案が解決しようとする課題】
【０００５】
本案は、小型にして携帯性を高めると共に様々な方向からの外部照射光に対しても強力な反射散乱光を発するようにした多面反射体を提供するものである。
【課題を解決するための手段】
【０００６】
本案の多面反射体の構成は、表面に平滑面を有する方形の透明プラスチック板の裏面に外周枠を設けると共に該枠内に三角錐体とこれを囲む６個の小三角錐が平面状に所定間隔で配設された光散乱面を有する第１半体と、該第１半体の三角錐体及び小三角錐がそれぞれ対向しないようにそれらの位置を全体的に齟齬させて同様構成とした第２半体とからなり、各半体裏面の各錐体面が接触しない程度の間隙を保持して対面させて外周側部を接着又は融着して一体化させると共に一辺に紐通し孔付突部を設けてなる
ものである。
第１及び第２の半体は、透明度の高い例えば、アクリル樹脂製の無色又は淡い有色プラスチックの方形体であって、外周枠は接合面と対面間隔保持体を兼ねるものである。        第１、第２半体の三角錐体と小三角錐からなる光散乱面は強力な反射面を形成し、多方向からの照射光をも反射する。      また、平滑表面の周縁部に斜面を形成することによって反射面が多くなり、より美麗な外観が得られ、更に第１及び第２半体を無色又は同色とする他、異色の組み合わせによって装飾効果を高めることができる。
【考案の効果】
【０００７】
本案反射体においては、半体の裏面を構成する多数の三角錐体の位置を齟齬させて対面させているので反射体の表裏両面の他、側面の一部も反射効果を有し、様々な外周からの照射光に対しても反射効果を示して表示効果が高い上、美麗な装飾効果も得られる。      また、小型で軽量であるので携帯しても違和感がなく、根付の基部、反射性お守りの他、紐スイッチの目印体としても利用できる。
【考案を実施するための最良の形態】
【０００８】
図１、図２において、１は本案反射体、２は第１半体、３は第２半体であり、大きさ２０ｍｍ×３０ｍｍ程度の方形な透明アクリル樹脂成型体である。  ４は平滑表面であり、３辺に反射効果を高めるための斜面４Ａが形成されている。
５は外側面、６は接合面となる枠部であり、枠部は後述する対面間隔ｄを保持するスペーサを兼ねる。    ７は、光散乱面を構成する裏面、８は紐などの取付突部、９は紐穴である。
光散乱面の構成は、図３のようであって各半体の裏面に三角錐体１０が面状に所定位置間隔で多数突設されると共にその周囲を６個の小三角錐１３が取囲むように配設されて面状に連設されている。    １１は三角錐体の頂部、１２は斜面部、１３は周辺の小三角錐、１４はその頂部、１５は斜面部である。
【０００９】
本案反射体は、第１半体及び第２半体の各三角錐体１０及び小三角錐１３の斜面部１２、１５が接触しないように0.5〜1.0ｍｍの間隔ｄを保持させて図４のように対面させ、各半体の接合面７を接着剤或いは高周波溶着によって接合して一体化して完成する。
【図面の簡単な説明】
【００１０】
【図１】本案反射体の斜視図
【図２】半体の裏面概要図
【図３】散乱反射部の一部表面図
【図４】本案品の拡大縦断斜視図
【符号の説明】
【００１１】
２，３  透明プラスチック製半体
４      平滑表面
４Ａ    周縁斜面
５      外側面
６      接合枠部
７      光散乱裏面
８      紐取付部
９      紐孔
１０    三角錐体
１３    小三角錐
１１、１４  頂部
１２、１５  斜面部
【図１】
0003147434.tif 000003
【図２】
0003147434.tif 000004
【図３】
0003147434.tif 000005
【図４】
0003147434.tif 000006
(57)【要約】      （修正有）【課題】薄物収納のためのクリアファイル形式や封筒形式の書類ケースに、マチ機能を付けて厚物収納を可能にして、分類収納作業効率を向上させた、書類ケースに関するものである。【解決手段】薄物収納のためのクリアファイル形式の書類ケース本体に、閉じられた角に断ち切り部を設け、また断ち切り部に接する面に折り曲げガイド線を設ける事で、厚物を収納する際にはマチを作り出し、厚物収納を可能にすることにより分類収納作業効率を向上させる。【選択図】図２
0003147414.tif 000002
【実用新案登録請求の範囲】
【請求項１】
薄物収納用のクリアファイル形式の書類収納ケース本体の角となる部分に断ち切り部を設けると共に、断ち切り部と繋がる面に折り曲げガイド線を設けておき、厚物を収納する際に折り曲げる事で、マチが誕生して厚物収納が可能になるマチ機能付の書類収納ケース
【考案の詳細な説明】
【技術分野】
【０００１】
本考案は、薄物収納のためのクリアファイル形式や封筒形式の書類ケースに、マチ機能を付けて厚物収納を可能にして、分類収納作業効率を向上させた、書類ケースに関するものである。
【背景技術】
【０００２】
クリアファイル形式の書類ケースは、薄い書類の収納のみのための書類ケースである。
【考案の開示】
【考案が解決しようとする課題】
【０００３】
頁数や枚数のある書類、ノート、カタログ、冊子、本、折り畳んだ新聞、箱、布やその他の厚みのある材料、などは、厚さがあるので、他の保管方法を考えないとならない。そのため、関連のある一連の書類であっても厚みがある場合は、隔離した場所に保管しないとならなかった。また薄い書類ケース自体が、1枚では薄いシートでも複数になると厚い書類の束となり、素材によってはツルツルしてまとめにくい上、厚物としての分類収納ケースが必要となり取り扱いにくくなる。薄物専用に限られてきたクリアファイル形式の書類ケースの欠点を解決しようというものである。
【課題を解決するための手段】
【０００４】
本考案は、角に断ち切り部を設けて、断ち切り部と接する面に折り曲げ線を設ける事で、マチを作り出して、省労力で厚物収納を可能にすることにより問題点を解決している。
【考案の効果】
【０００５】
広く普及しているクリアファイル形式の書類ケースに、新たな原材料を必要とせずに本考案を付加できる。常備された既存書類ケースの仲間に組み入れて、厚みのある書類がある場合には、本考案付書類ケースのマチを組立て厚物を収納し、薄物と厚物を分離せずに分類収納できる。また既存薄物ケースが増えて束なった際に、仲間であるマチ付きケースに分類収納するなど、臨機応変の利用ができ、作業効率がアップする。角に隙き間ができるが、密封を目的とはしていないため、機能上大きなマイナスにはならなく、厚物が収納できない欠点が解消される事のプラス効果が大きい。
【考案を実施するための最良の形態】
【０００６】
閉じられた2辺の角を、断ち切っておくか、断ち切り可能な加工により使用時に断ち切りにする。断ち切り部分に接する表裏面に辺に平行する折り曲げガイド線を付けておく。素材材質や厚さによっては折り曲げガイド線が不要の場合もある。中に厚物を収納する際に、断ち切り部と折り曲げ線を用いて立体のマチを組み立て、薄物収納用の書類ケースを、厚物収納用の書類ケースに簡単に変形させて使用する事が可能となる。
【実施例】
【０００７】
以下、添付図面に従って一実施例を説明する。1は広く普及している主にペット素材等によるクリアファイル。２は１に本考案の切り込みと折れ線を付けた状態と切り込みと折れ線を利用してマチを組立て上がった状態。
【産業上の利用可能性】
【０００８】
３は厚い書類を収納した状態と、その他の厚い収納物の例。4はツルツルして扱いづらいクリアファイルの束を本考案のファイルに収納した例。
【図面の簡単な説明】
【０００９】
【図１】広く普及しているクリアファイル形式の書類ケース。
【図２】本考案ファイルの組立て前と後。
【図３】本考案ファイルに厚い書類や新聞やクリアファイルの束を収納した例。
【符号の説明】
【００１０】
１    既存クリアファイル
２    本考案クリアファイル組み立て前
３    切り込み
４    本考案折れ線
５    必要に合わせて補助的に用意する補助折れ線
６    本考案クリアファイル組み立て後
７    本考案折り曲げ箇所
８    補助折り曲げ箇所
９    収納例として、頁数や枚数のある書類、ノート、カタログ、冊子、本、折り畳んだ新聞、箱、布やその他の厚みのある材料、などは、厚さがある書類や収納物
１０  収納例として、折り畳んで厚みのある全国版新聞
１１  既存クリアファイルの束
【図１】
0003147414.tif 000003
【図２】
0003147414.tif 000004
【図３】
0003147414.tif 000005
(57)【要約】      （修正有）【課題】全く目新しく而もパイ菓子としてのさくさくとした感触の味を十分に出し、中身によって和洋風独特の味を出して何とも云えない触感を感じさせながら楽しく食べることができる餃子形パイ菓子を提供する。【解決手段】餡類や求肥或はクリームやジャム等の中身２を、餃子形状のパイ皮１内に包込んだもの。【選択図】図１
0003139334.tif 000002
【実用新案登録請求の範囲】
【請求項１】
餡類や求肥或はクリームやジャム等の中身を、餃子形状のパイ皮内に包込んだことを特徴とする餃子形パイ菓子。
【考案の詳細な説明】
【技術分野】
【０００１】  本考案は、餡類や求肥或はクリームやジャム等の中身を、餃子形状のパイ皮で包込んだ餃子形パイ菓子に関するものである。
【背景技術】
【０００２】  生活水準の向上に伴い、食生活も変化してだだん良くなって来ていると共に、名所や観光地へ或は海や山などへのレジャーも盛んとなり、嗜好品又は土産物としての需要が多くなって来ているため、それに合うよう食品業界では様々な商品を研究開発して来ている。【０００３】  特に菓子類は、戦後は糖分の不足から甘いものが好まれてきたが、近年では味覚の発達によって甘味を押さえたものが好まれ、中でもパイ菓子に於いてもそれなりに多くの種類のものがあり、それぞれ店の特色を生かした独特の味としたものや、その地の特産物を商品化したものなどがある。
【考案が解決しようとする課題】
【０００４】  このように色々な方面から研究開発されている菓子類ではあるが、パイ菓子にあっては今の現状で全てを満たしているとは云えず、未だ開発の余地がありパイ菓子の製造販売上非常に不都合を感じていた。
【課題を解決するための手段】
【０００５】  本考案はこのような不都合を解消し、全く目新しく而もパイ菓子としてのさくとした感触の味を十分に出し、中身によって和洋風独特の味を出して何とも云えない触感を感じさせながら楽しく食べることが出来る餃子形パイ菓子を提供せんとするものである。
【０００６】  餡類や求肥或はクリームやジャム等の中身を、餃子形状のパイ皮内に包込んだものである。
【０００７】  使用に当たって食べるために見たとき、餃子形状のため食べる人の心を揺さ振り好奇心を喚起させ、食べると、始めはパイ皮によってパイ独特のさくさくとした感触の味を味わい、次いで餡類や求肥或はクリームやジャム等の中身によって和洋風独特の味を味わい、そのうちにパイと和洋風の中身がミックスした味となり何とも云えない触感を感じながら楽しく食べることが出来る。
【考案の効果】
【０００８】  上述の如く本考案の請求項１は、食べるために見たとき、餃子形状のため食べる人の心を揺さ振り好奇心を喚起させ、食べるとパイ皮によってパイ独特のさくさくとした感触と、餡類や求肥或はクリームやジャム等の中身による和洋風独特の味を味わうと共に、パイと和洋風の中身がミックスした何とも云えない触感を感じながら楽しく食べることが出来るなどの特長があり、実用上非常に優れた考案である。
【考案を実施するための最良の形態】
【０００９】  餡類や求肥或はクリームやジャム等の中身を、餃子形状のパイ皮内に包込んだものである。
【実施例１】
【００１０】  図中１は餃子形状のパイ皮であって、小豆餡からなる中身２を該パイ皮１内に包込んでいる。【００１１】  使用に当たって食べるために見たとき、餃子形状のため食べる人の心を揺さ振り好奇心を喚起させ、食べると始めはパイ皮１によってパイ独特のさくさくとした感触の味を味わい、次いで小豆餡の中身２によって和風独特の味を味わい、そのうちにパイと和風の中身２がミックスした味となり何とも云えない触感を感じながら楽しく食べることが出来る。
【産業上の利用可能性】
【００１２】  パイ菓子全般に用いることが出来る。
【図面の簡単な説明】
【００１３】
【図１】  本考案実施例１の一部を破断した斜視図である
【符号の説明】
【００１４】  １  パイ皮
２  中身
【図１】
0003139334.tif 000003
(57)【要約】      （修正有）【課題】材料をカッターナイフで切断する時、誰でも容易にカッターナイフの刃を切断しようとする材料に対して垂直に保持することができる治具を提供する。【解決手段】カッターナイフの刃４を切断しようとする材料の面に対して垂直に保持するための材料切断治具であって、矩形断面を有する基台１と基台１の直角をなす一側面に、カッターナイフの刃厚より小さい間隔の隙間を保持しつつネジ３によって固定される板バネ２からなる材料切断治具である。【選択図】図１
0003139336.tif 000002
【実用新案登録請求の範囲】
【請求項１】
カッターナイフの刃を切断しようとする材料の面に対して垂直に保持するための材料切断治具であって、矩形断面を有する基台と、前記基台の直角をなす一側面に前記カッターナイフの刃厚より小さい間隔の隙間を保持しつつ固定される板バネからなることを特徴とする材料切断治具。
【請求項２】
前記カッターナイフの刃厚より小さい間隔の隙間を形成するために、前記基台の直角をなす一側面と前記板バネの間に所定の厚みを有するスペーサを挿入したことを特徴とする請求項１記載の材料切断治具。
【考案の詳細な説明】
【技術分野】
【０００１】  本考案は、材料をカッターナイフで切断するとき、カッターナイフの刃が垂直に保時される材料切断治具に関するものである。
【背景技術】
【０００２】  例えば建築模型の制作においてスチレンボードなどの材料を垂直に切断することは極めて重要な技能とされており、そのためには切断中常にカッターナイフの刃を垂直に保持することが重要であるが、その技能修得は専ら練習と習熟によるものとされている。【０００３】  垂直ではなく例えば４５度の角度に切断する工具が提案されている（実用新案登録第３１３１７７２号）が、垂直に切断する技能は模型を構成する全ての部品を切り出す上で必要とされる基本的な技能である。
【考案の開示】
【考案が解決しようとする課題】
【０００４】  材料を垂直に切断するためには切断中カッターナイフの刃を切断しようとする材料に対して垂直に保持する必要があり相当量の練習と習熟が不可欠である。また人によっては幾ら練習しても材料を垂直に切断し得ない場合がある。あるいは習熟した人でも僅かな不注意によって切断面が垂直から外れ、再制作を余儀なくされる場合もある。そこで切断中常にカッターナイフの刃が垂直に保持される治具を使用することによって前述の問題を解決しようとするものである。
【課題を解決するための手段】
【０００５】  本考案は、上記問題解決のため以下の（１）、（２）の構成を有する。
（１）カッターナイフの刃を切断しようとする材料の面に対して垂直に保持するための材料切断治具であって、矩形断面を有する基台と、前記カッターナイフの刃厚より小さい間隔の隙間を保持しつつ固定される板バネとから構成される。
（２）前記カッターナイフの刃厚より小さい間隔の隙間を形成するために前記基台の直角をなす一側面と前記板バネの間に、所定の厚みを有するスペーサを挿入した前記（１）記載の材料切断治具。
【考案の効果】
【０００６】  例えば建築模型制作において重要な技能の一つとされるカッターナイフによる材料の垂直切断を、誰でも容易に行うことができるため、長時間の練習や習熟を軽減すると共に、制作過程における不良品を低減し材料、労力、時間を節減することが出来る。
【考案を実施するための最良の形態】
【０００７】  ステンレス材で直方体の形状をした基台を作り、該基台の横一面にカッターナイフの刃厚よりやや小さい隙間を形成するように板バネを加工し、且つ定規と干渉しないように下部にスペースを設けて該板バネをネジで係止する。基台の一面と前述のように係止した板バネで形成される隙間にカッターナイフの刃を挿入するとカッターナイフの刃は該基台の面に倣って保持される。【０００８】  前述の状態で該基台の底面を材料の上面に沿わせながら通常通りの方法で材料切断を行えばカッターナイフの刃が材料に対して垂直に保持されたまま材料を切断し、結果垂直な切断面が得られる。【０００９】  カッターナイフの刃を保持している板バネは切断時にカッターナイフの刃に掛かる力によって変形しない程度の強度と形状を有するものを使用する。【００１０】  該基台の材料はステンレス材の外、石材、ガラス材など比較的重たい材料であればよく、材料の種類については制約を受けない。【００１１】  該板バネの係止方法はネジを用いる外、ボルトとナットを用いてもよく、隙間を調整するため容易に取り付け、取り外しができる方法であればよく、係止の方法については制約を受けない。
【実施例】
【００１２】  以下、添付図面に従って一実施例を説明する。１はステンレス材で制作した直方体の形状をした基台、２は所定の強度と形状を持った板バネ、３は板バネ２を基台１に係止するためのネジであり、１から３までの部品で本考案の材料切断治具は構成される。【００１３】  １と２で構成される隙間にカッターナイフ５の刃４を挿入し通常の切断作業と同じように定規６にカッターナイフの刃４を沿わせ、材料７上をカッターナイフ５に力を加えながら摺動するとカッターナイフの刃４は材料７に対して垂直を保持した状態で材料を切断し、結果垂直な切断面が得られる。
【図面の簡単な説明】
【００１４】
【図１】請求項１の材料切断治具にカッターナイフの刃を挿入した側面図
【図２】請求項２の材料切断治具にカッターナイフの刃を挿入した側面図
【図３】請求項１の材料切断治具を用いて材料を切断している状況を示した正面図
【符号の説明】
【００１５】  １  基台
２  板バネ
３  ネジ
４  カッターナイフの刃
５  カッターナイフ
６  定規
７  材料
８  スペーサ
【図１】
0003139336.tif 000003
【図２】
0003139336.tif 000004
【図３】
0003139336.tif 000005
(57)【要約】【課題】国民の生命の安全と危険防止のため、飛行機への搭乗時は電源を切り、車の運転中は携帯電話使用禁止など、法整備が進められている。しかし、運転中の携帯電話使用で検挙される人は日増しに増え続けている。一方、静かな環境保持のため、図書館・映画館・講演会・コンサート会場・病院・学校などは、「携帯電話の電源をお切りください。」と呼びかけしている。しかし、電源を切り忘れた場合は、携帯電話の受信ベルが鳴り、他人に迷惑をかけているのが現状である。携帯電話の使用を禁止している場所等への入場は、強制的に携帯電話が使用できない環境づくりを課題とする。【解決手段】以上の課題を解決するために、携帯電話の使用を禁止したい場所においては、携帯電話の電磁波を遮断する機能を持つ布で作った、携帯電話収納袋に携帯電話を入れることで、携帯電話の環境を圏外状態とし、物理的に使用できないようにする。【選択図】図１
0003139340.tif 000002
【実用新案登録請求の範囲】
【請求項１】
携帯電話の電磁波を遮断する機能を持った布を使用して作った、携帯電話の電磁波を遮断することを特徴とする携帯電話収納袋。
【請求項２】
前記の携帯電話収納袋は、携帯電話が容易に出し入れできるように、携帯電話１個分の約３倍から４倍の容量の大きさとし、電磁波を遮断する機能を持った布を収納袋として直接使うことを特徴とした請求項１の携帯電話収納袋。
【請求項３】
前記の携帯電話収納袋は、電磁波を遮断する機能を持つ布を内張りとし、普通の布を外張りとした二重張りの形態を持つことを特徴とした請求項１の携帯電話収納袋。
【請求項４】
請求項２、請求項３の携帯電話収納袋は、収納口付近に組紐を通す穴道を設け、この紐の穴道に組紐を通し、両脇から組紐を引っ張って収納口を閉じると同時に、この組紐を手で持って持ち運びできることを特徴とした携帯電話収納袋。
【考案の詳細な説明】
【技術分野】
【０００１】  この考案は、携帯電話の電磁波を遮断する携帯電話収納袋に関する。
【背景技術】
【０００２】  従来の携帯電話収納袋は、普通の布で作ってあるため電話がかかってきたとき、圏外でなく、電源を切っていない限り受信を可能とするため、携帯電話の使用を禁止している場所においても、電話やメールを受信してしまうものである。
【考案の開示】
【考案が解決しようとする課題】
【０００３】  わが国においては、国民一人が一台の携帯電話を最低所有する時代となり、社会生活においても、生命の安全と危険防止、ならびに静かなる環境の保持等の面においていくつかの問題が表面化してきている。
例えば、飛行機への搭乗時には電源を切ることや、車の運転中は携帯電話の使用を禁止するなど、法整備が進められている。しかし、運転中に携帯電話を使用して現行犯検挙される件数は日増しに増えている現状にあるが、法制定の本来の目的は危険運転防止にあるため、運転中は携帯電話の使用が出来ない圏外状態とする環境づくりが急務である。
一方、図書館・映画館・講演会・コンサート会場・病院ならびに学校などは、他の人に迷惑や不快感を与えない為に、『電源をお切りください。』と入場者に呼びかけして、携帯電話の電源を切ることをお願いしている。しかし、電源を切り忘れた場合は、携帯電話の受信ベルが鳴ったりしているのが現状であり、他人への迷惑を回避できない状況が生み出されつつある。
本考案は、国民の生命の安全と危険防止、ならびに、秩序ある携帯電話社会を生み出していく為に、携帯電話の電源を切り忘れても、受信できない状態の環境づくりを課題とする。
【課題を解決するための手段】
【０００４】  以上の課題を解決するために、第一の考案は、携帯電話の電磁波を遮断する機能を持った布を使用して作った、携帯電話の電磁波を遮断することを特徴とする携帯電話収納袋である。
また、第二の考案は、携帯電話が容易に出し入れできるように、携帯電話１個分の約３倍から４倍の容量の大きさを持つことを特徴とした携帯電話収納袋である。
さらに第三の考案は、収納口付近に紐を通す紐道を設け、両脇から紐を引っ張って入口を閉じると同時に、この紐を手で持って持ち運びできることを特徴とした携帯電話収納袋である。
【考案の効果】
【０００５】  第一の考案、または第二の考案と第三の考案によれば、この袋に携帯電話を入れて収納口を塞いでおけば、携帯電話は圏外の状態に置かれ、たとえ電源を切り忘れた場合でも、かかってきた電話やメールを受信することはないので、受信ベルが鳴ることもない。
【考案を実施するための最良の形態】
【０００６】  この考案の一実施形態を、図１と図２に示す。
携帯電話を収納する袋は、電磁波を遮断する機能を持った布を素材とするものである。
図１は、袋本体１の大きさが携帯電話１個分の約３倍から４倍の容量の大きさを持つもので、横幅１２ｃｍ以上、縦の長さ１８ｃｍ以上で、袋の収納口にあたる先端の布は、収納口を閉じるための細い組紐を通す大きさに縫い合わせて紐の通し穴道を作り、両端には、組紐を差し入れる穴２が設けられている。この両端の組紐通し穴より最低５５ｃｍ以上の組紐２本３と４を、それぞれ別々の穴の入り口より個別に差し入れ、入れた同じ穴より引き出して、３と４の同じ組紐の両端をそれぞれ結び合わせる。図２は、この３と４の組紐を両方から引っ張ることで袋の入口を閉じ合わせた状態にしたものである。【０００７】「実施形態の効果」
この実施形態によれば、袋の間口の大きさが、一個の携帯電話を入れたり出したりしやすく、両端から紐を引き合い、入口の間口をぴったりと閉じ合わせることができ、かつ間口を閉じた状態で紐を袋に巻きつけることもでるので、携帯電話の電波遮断効果を高めることができる。【０００８】「他の実施形態」
図１、図２の実施形態では、組紐を両方から引き合って袋の入口の間口を閉じるものであったが、他の実施形態では、収納口の間口を紐に代わってファスナーや両面を接合させるテープにより閉じ合わせることでも良い。
【図面の簡単な説明】
【０００９】
【図１】携帯電話を収納する前の収納口を開いた状態を示した斜視図である。
【図２】携帯電話を袋に収納した後、収納口を閉じた状態を示した斜視図である。
【符号の説明】
【００１０】  １  電磁波を遮断する携帯電話収納袋本体          ２  組紐を通す入口の穴
３  組紐        ４  組紐      ５  紐の通し道    ６  携帯電話
【図１】
0003139340.tif 000003
【図２】
0003139340.tif 000004
(57)【要約】      （修正有）【課題】握り固められた状態の撒き餌を籠から出しやすくする。【解決手段】この撒き餌籠の開口部の下端に錘などを取り付ける為の穴を設ける。これによって、片側の開口部に錘を取り付けたとき、開口部の顎は支店を挟んで、錘を付けた側が下に引っ張られ、他方は道糸により、上に引っ張られるため、開こうとする。この開こうとする力をスプリングにより閉鎖している時に、竿をしゃくり上げることで、顎を閉じようとするスプリングの力よりも開けようとする力が勝り、撒き餌籠の口が開き、中の撒き餌を放出することができる。【選択図】図５
0003139332.tif 000002
【実用新案登録請求の範囲】
【請求項１】
向かい合う半円筒型の、開閉機構を持つ、スプリング閉鎖式、撒き餌籠の開口部の下すぼまり状となった下端に、錘や釣り用仕掛けを取り付けるための穴を設けたことを特徴とする、魚釣り用撒き餌籠。
【請求項２】
請求項１の撒き餌籠に錘などを取り付けるための穴を設けるために、同撒き餌籠の下端に突出した一部分を設けた魚釣り用撒き餌籠。
【考案の詳細な説明】
【技術分野】
【０００１】  本考案は、魚釣り用撒き餌籠に関するものであり、従来よりあるスプリング閉鎖式ワンタッチ開閉型の撒き餌籠に、工夫を加えることによって任意の場面で、撒き餌を放出することが出来る様にしたものである。
【背景技術】
【０００２】  従来から、魚釣り用撒き餌籠として、スプリング閉鎖式ワンタッチ開閉型の撒き餌籠が利用されている。この例として、実用新案文献に開示されているものがある。
【特許文献１】  出願番号−実用出願平０６−００００２３  登録番号−実用登録３００４９６３
【考案の開示】
【考案が解決しようとする課題】
【０００３】  しかし、従来このような撒き餌籠はスプリングの力で撒き餌を挟み掴んでいるため、握り固められた状態の撒き餌は籠から出にくいという欠点があった。それにもかかわらず、このタイプの撒き餌籠は手を汚さず、しかもワンタッチで籠に餌を補充できるため、人気が高い。これらの長所と短所を併せ持つ撒き餌籠の短所を解決することを課題とする。
【課題を解決するための手段】
【０００４】  この課題を解決するための請求項１の考案は、向かい合う半円筒型の、開閉機構を持つスプリング閉鎖式、撒き餌籠の開口部の下すぼまり状となった下端に、錘などを取り付けるための穴を設ける。また請求項２の考案は、この撒き餌籠に穴を設けるために、同撒き餌籠の下端に、突出した一部分を設ける（図３）。これにより、錘などを取り付け易くした魚釣り用撒き餌籠の片側の開口部下端に錘を取り付けたとき、開口部の顎は支点を挟んで、錘を付けた側が下に引っ張られ、他方は道糸により上に引っ張られるため、開こうとする。図５はこの開こうとする力をスプリングにより閉鎖しているときに、竿をしゃくり上げることで、顎を閉じようとするスプリングの力よりも開けようとする力が勝り、口が開いた様子である。
【考案の効果】
【０００５】  本考案により、任意の水深やタイミングで、確実に撒き餌を放出することで、魚を散らさず、寄せることが期待できる。さらに、撒き餌の補充は従来どおりワンタッチ式であるため、手返しも速い。
【考案を実施するための最良の形態】
【０００６】  図３は従来の、向かい合う半円筒型の、開閉機構を持つ、スプリング閉鎖式、撒き餌籠の下すぼまり状となった開口部下端の片方あるいは両方に、突出した一部分を設け、そこに錘や釣り用仕掛けを取り付けるための穴を設け、その穴にスナップ付きサルカンなどにより、錘を取り付けられる様にしたことを特徴とする、魚釣り用撒き餌籠である。尚、従来より、このタイプの撒き餌籠は、向かい合う開口部内部の両側に錘を内蔵しているが、この両側内蔵の錘は、取り除いた方が本考案の効果には適合するであろう。また図４は、本考案の撒き餌籠開口部下端の、取り付け穴の片方に錘を取り付けたところ。片側に取り付ける錘は外付けではなく、従来どおり内部取り付けでもよいが、外付けの方が錘の大きさを変えることが出来、それによって、籠の口の開き具合も調節し易いし、潮流の強さにも対応出来る。【０００７】  図５は竿をしゃくり上げ、道糸を強く引き上げることにより、撒き餌籠の口が開いたところ。【０００８】  図２は従来品の上面図である。従来品は側面に多数の穴、また上部の隙間は大きく、撒き餌が出易いように作られているが、本考案による撒き餌籠では、下部より任意に撒き餌を放出できるため、籠上部の隙間をより小さくし、上部から撒き餌が出にくくすれば、下方への餌撒き専用とすることも出来る。それによって、根魚釣り専用の底撒き餌用としたり、図６に示すように撒き餌籠の下方へ、魚釣り用さびき仕掛けを取り付ければ効果的といえる。
【産業上の利用可能性】
【０００９】  本考案に係る撒き餌籠は工業的に量産する事が可能であるため、産業上の利用可能性を有する。
【図面の簡単な説明】
【００１０】
【図１】  従来の、向かい合う半円筒型の、開閉機構を持つ、スプリング閉鎖式、魚釣り用撒き餌籠の側面図。
【図２】  従来の、向かい合う半円筒型の、開閉機構を持つ、スプリング閉鎖式、魚釣り用撒き餌籠の上面図。
【図３】  従来の、向かい合う半円筒型の、開閉機構を持つ、スプリング閉鎖式、魚釣り用撒き餌籠の開口部の下すぼまり状となった下端に、突出した一部分を設け、そこに錘や釣り用仕掛けを取り付け易くするための穴を設けたもの。また、その側面図。
【図４】  図３で示す撒き餌籠に設けた取り付け穴の一方の穴にスナップ付きサルカンにより、錘を取り付けたところ。
【図５】  道糸を強く引き上げることにより、撒き餌籠の口が開いたところ。
【図６】  本考案の撒き餌籠に、魚釣り用さびき仕掛けを取り付けた使用例。
【符号の説明】
【００１１】  １    突出した一部分
２    錘や釣り用仕掛けを取り付けるための穴。
３    道糸
４    スナップ付きサルカン
５    錘
６    魚釣り用さびき仕掛け
【図１】
0003139332.tif 000003
【図２】
0003139332.tif 000004
【図３】
0003139332.tif 000005
【図４】
0003139332.tif 000006
【図５】
0003139332.tif 000007
【図６】
0003139332.tif 000008
(57)【要約】【課題】従来の清掃用ブラシは、視覚的に殺風景であるという不都合の解決。【解決手段】たわし、もしくはスポンジ（２）との接続部（１）に目、鼻、口に見立てたものを描く。（目、鼻、口に見立てた溝を設ける場合も含む。）また、接続部に耳と見立てる突起部を設けた、この清掃用ブラシによって、課題を解決する。【選択図】図１
0003139338.tif 000002
【実用新案登録請求の範囲】
【請求項１】
たわし、もしくはスポンジとの接続部を顔に見立てるように目、鼻、口を描き（目、鼻、口に見える様な溝を設ける場合も含む）、また接続部の一部に耳と見立てる突起部を設け、たわし、もしくはスポンジを含めた全体を頭部に見立てる形状にした、清掃用ブラシ。
【考案の詳細な説明】
【技術分野】
【０００１】本考案は、清掃用ブラシに関する。
【背景技術】
【０００２】従来の清掃用ブラシ（例えば靴ブラシなど）は、統一的形状であった。
【考案の開示】
【考案が解決しようとする課題】
【０００３】しかし、これでは視覚的に殺風景になる。
【課題を解決するための手段】
【０００４】そこで、顔（頭部）に見立てる形状をした清掃用ブラシを考案した。（図１）
【考案の効果】
【０００５】本考案の清掃用ブラシにより、視覚的効果を得られる。
【考案を実施するための最良の形態】
【０００６】本考案に係る清掃用ブラシは、たわし、もしくはスポンジ（２）との接続部（１）を顔に見立てる様に、目、鼻、口となるものを描く。ブラシの種類や素材（接続部及び持ち手（３）部分）により、また、デザインの相違性を持たせるため、目、鼻、口に見立てるような溝を設ける場合もある。（図４）また、耳に見立てるような突起部を接続部の一部に設け、たわし、もしくはスポンジ及び接続部全体を頭部に見立てる形状にする。
接続部、持ち手の内部（構造）や湾曲の角度は、図３に示すようなものに限らず、例えば持ち手の内部は空洞であるなど、清掃用ブラシの種類により様々に対応（アレンジ）させるのが望ましい。
【図面の簡単な説明】
【０００７】
【図１】本考案に係る清掃用ブラシの正面図である。
【図２】平面図である。
【図３】Ａ−Ａ断面図である。
【図４】目、鼻、口を溝にしたアレンジ例である。
【符号の説明】
【０００８】１    接続部
２    たわし、もしくはスポンジ
３    持ち手
【図１】
0003139338.tif 000003
【図２】
0003139338.tif 000004
【図３】
0003139338.tif 000005
【図４】
0003139338.tif 000006
(57)【要約】      （修正有）【課題】パターの本体のグリップの尖端部にゴルフボール挟み装置を取り付け、カップに入ったゴルフボールを簡単に取り出す。【解決手段】ゴルフボールを挟む装置で、上から頭を押すと、ゴルフボールは円く、硬いので、離開部が左右に開き簡単に入る。又、凹があるので滑らない。１／３入ることで取り出し可能で外し易い。【選択図】図４
0003139312.tif 000002
【実用新案登録請求の範囲】
【請求項１】
ゴルフ時に於いてパターのグリップの尖端部にゴルフボールを挟む装置を取り付けカップに入った、ゴルフボールを簡単に取り出すことを目的とした、装置である
【考案の詳細な説明】
【技術の分野】
【０００１】本考案はゴルフボールがカップに入た時に簡単にゴルフボールを取り出すことにある
【背景技術】
【０００２】カップに入たゴルフボールを取り出すのはシニアにとっては仲々厄介である
腰を曲げなくてはならず、多少面倒である
【考案の開示】
【考案の解決しようとする課題】
【０００３】現代に於いてはすばらしい素材がある
例えばチタン、タングステン、ゴムメタル等曲に強い反発に強い素材を利用することで可能である
【課題を解決するための手段】
【０００４】本考案はパターのグリップの尖端部にゴルフボール挟み装置を取り付けることにある
その装置とはゴルフボールを計た所直径が４ｃｍある直径３．５ｃｍの円型状の少々硬い紙の筒状のものの先端部を正中線に２ｃｍ程切断する
この切断した方をゴルフボールの上から頭を押すとゴルフボールは１／３入た状態で取り上げられ又外し易い
これを利用してゴルフボール挟み装置を作製する
【考案の効果】
【０００５】ゴルフボールは円く硬く凹がある、滑らない１／３挟むと持ち上げられ外し易い
ゴルフボールは挟むことに関しては最適である。
ゴルフボールは円く、硬く凹がある
この３つの要素を利用しゴルフボール挟み装置を作製する
図にて示す、
【考案の効果】
【０００６】パターンのヘッドを手に持ちグリップの尖端部に作たチタンのゴルフボール挟み装置でゴルフボールの上から頭を押すとゴルフボールは円く硬いので挟み装置の離開部が開きゴルフボールは簡単に入る。設計により１／３しか入らない
ゴルフボールは凹があるので滑らない１／３入ることで、簡単に取り出せ又外せ易い
【考案を実施するための最良の形態】
【０００７】パターのグリップは尖端部が幅が太くなている。ゴルフボールをヒットする時、尖端から３〜４ｃｍ程は使用しない、そこにこの装置を取り付けることが可能である
グリップの尖端は広いのでそこに凹を入れて置くことが重要で挟み装置を短かく出来る
ゴルフボールをヒットする時なんら障害にならない。又チタンの強度によりまだ短かく出来る
【図面の簡単な説明】
【０００８】図は全てパターのヘッドの尖端を正面としてある
【図１】Ａはゴルフボール挟み装置の正面図である  Ｂはゴルフボール挟み装置の横面図である
【図２】Ｃはゴルフボール挟み装置がゴルフボールを挟んだ状態の動きである正面図である  Ｄはゴルフボール挟み装置がゴルフボールを挟んだ状態の動きの横面図である
【図３】Ｅ、はゴルフボール挟み装置をパターのグリップに取り付けた時の正面図である  Ｆはゴルフボール挟み装置をパターのグリップに取り付けた時の横面図である
【図４】Ｄはパターのゴルフボール挟み装置がゴルフボールを挟だ状態の正面図である  Ｈはパターのゴルフボール挟み装置がゴルフボールを挟だ状態の横面図である
【符号の説明】
【０００９】１  ゴルフボール挟み装置本体
２、ゴルフボール挟み板
３、ネジ部（この反発力でゴルフボールを挟むこととなる重要なところ、ここにより短かく出来る）
４  維持部
５  維持強化部
６  離開部
７  直径３．５ｃｍ
８  １．５ｃｍ
９  １．０ｃｍ
１０  ０．５ｃｍ
１１  パター本体
１２  パターのヘッド
１３  グリップ（線）
１４  ゴルフボール
【図１】
0003139312.tif 000003
【図２】
0003139312.tif 000004
【図３】
0003139312.tif 000005
【図４】
0003139312.tif 000006